(57)【特許請求の範囲】
【請求項１】
配線ボックスを収容する凹所と、配線ボックスへの配線を通すためこの凹所と連通するように延ばされた溝部とを面内に備え、
前記凹所の周囲面と溝部の両サイドの面とが連続し、これら周囲面と両サイドの面、又は、これらの面の背面側を防湿層への貼付け面としていることを特徴とする防湿層における配線用防湿補助材。
【請求項２】
防湿層に、配線ボックスを設置するための切欠き部と、配線ボックスへの配線のための切込み部が設けられ、
請求項１に記載の配線用防湿補助材が、その凹所対応部分を切欠き部内に突出させ、溝部対応部分を切込み部内に突出させる態様で、貼付け面が防湿層の外面側に貼り付けられ、
配線用防湿補助材の凹所内に配線ボックスが設置されると共に、同補助材の溝部内に配線ボックスに対する配線が通されていることを特徴とする防湿層における配線構造。
【請求項３】
請求項１に記載の配線用防湿補助材が、その凹所と溝部の各開放側を防湿層の側に向けるように、防湿層の内面側に貼り付けられていることを特徴とする防湿層における配線のための構造。
【請求項４】
請求項３に記載の構造を用いた防湿層における配線方法であって、防湿層に対し、配線用防湿補助材の凹所に対応する部分において、配線ボックスを設置するための切欠き部を形成すると共に、同補助材の溝部に対応する部分に切込みを形成することによって、防湿層の外面側から、配線用防湿補助材の凹所と溝部とにアクセスして配線ボックスと配線を設置することを特徴とする防湿層における配線方法。
【発明の詳細な説明】
【０００１】
【発明の属する技術分野】
本発明は、防湿層における配線用防湿補助材及びこれを用いた配線構造及び配線方法に関する。
【０００２】
【従来の技術】
例えば、住宅等の建物では、室内の水蒸気が壁の内部に侵入して結露を生じてしまうのを防ぐ目的で、内装ボードと壁内の繊維系断熱層との間の領域に、繊維系断熱層の側に沿うように防湿層が設けられている。その場合に、電気や通信等のための壁内配線と、配線ボックスとは次のようにして施工している。
【０００３】
即ち、配線ボックスの施工については、配線ボックスを収容する凹所を面内に備え、この凹所の周囲の背面側を防湿層への貼付け面とする防湿補助材を用い、防湿層の面内に切欠き部を形成し、この補助材の凹所対応部分を防湿層の切欠き部を通じて壁内に突出させると共に、この補助材の周囲貼付け面を防湿層の外面側に貼り付け、この補助材の凹所内に配線ボックスを収容するというようにして行われている。
【０００４】
また、配線の施工については、防湿層に切込みを入れ、配線を防湿層の背面において延ばして配線ボックスに接続し、そして、防湿層の外面側から防湿テープを貼り付けて切込み部を塞ぐというようにして行われている。
【０００５】
そして、多くの場合、上記の配線部用の防湿テープと、ボックス用防湿補助部材との境界は防湿性能が損なわれやすいことから、最後に、この境界部分に対して細かいテープ補修をしておく必要がある。
【０００６】
【発明が解決しようとする課題】
しかしながら、上記のような施工方法では、配線ボックス専用の防湿補助材を取り付け、また、これとは別に配線用の切込みを塞ぐ防湿テープを貼り付ける必要があるため、施工が厄介であるという問題があった。
【０００７】
特に、これと併せて、上述したように、多くの場合、配線部用の防湿テープとボックス用防湿補助部材との境界部に対して細かいテープ補修をしなければならないため、施工はなおさら厄介なものになってしまう。
【０００８】
本発明は、上記のような問題点に鑑み、防湿層において配線と配線ボックスの施工を容易に行うことができ、しかも、防湿層の防湿性能を損なわせることもない、配線用防湿補助材及びこれを用いた配線構造及び配線方法を提供することを課題とする。
【０００９】
【課題を解決するための手段】
上記の課題は、配線ボックスを収容する凹所と、配線ボックスへの配線を通すためこの凹所と連通するように延ばされた溝部とを面内に備え、
前記凹所の周囲面と溝部の両サイドの面とが連続し、これら周囲面と両サイドの面、又は、これらの面の背面側を防湿層への貼付け面としていることを特徴とする防湿層における配線用防湿補助材によって解決される。
【００１０】
この防湿補助材では、防湿層に形成する配線ボックス用の切欠き部と、配線用の切込み部と、そして、これら切欠き部と切込み部との境界部とを、貼り付けられたこの防湿補助材によって一度に塞ぐことができ、防湿層において配線と配線ボックスの施工を容易に行うことができる。
【００１１】
しかも、凹所の周囲面と溝部の両サイドの面とが連続し、これら周囲面と両サイドの面、又は、これらの面の背面側を防湿層への貼付け面としているから、防湿層の切欠き部と切込み部の境界部を確実な防湿状態にすることができて、防湿層の防湿性能を損なわせることもない。
【００１２】
また、防湿層に、配線ボックスを設置するための切欠き部と、配線ボックスへの配線のための切込み部が設けられ、
上記の配線用防湿補助材が、その凹所対応部分を切欠き部内に突出させ、溝部対応部分を切込み部内に突出させる態様で、貼付け面が防湿層の外面側に貼り付けられ、
配線用防湿補助材の凹所内に配線ボックスが設置されると共に、同補助材の溝部内に配線ボックスに対する配線が通されていることを特徴とする防湿層における配線構造によって解決される。
【００１３】
この配線構造では、防湿層に切欠き部と切込み部とを形成したのち、配線用防湿補助材を防湿層の外面側に貼り付けるだけで、切欠き部と切込み部とこれらの境界部とをしっかりとした防湿状態に戻すことができ、特に防湿層が先張りされている場合の配線の施工を容易に行うことができる。
【００１４】
更に、上記の配線用防湿補助材が、その凹所と溝部の各開放側を防湿層の側に向けるように、防湿層の内面側に貼り付けられていることを特徴とする防湿層における配線のための構造によっても解決される。
【００１５】
この構造では、配線用防湿補助材が防湿層の内面側に貼り付けられているので、配線の施工においては、防湿層の外面側から、防湿層に対して、配線用防湿補助材の凹所に対応する部分に切欠き部を形成すると共に、溝部に対応する部分に切込みを入れ、凹所と溝部内に配線ボックスや配線の設置をするだけでよく、防湿層に切欠き部や切込み部を形成したのちに防湿層の修復をする必要をなくすことができ、配線の施工を容易に行うことができる。
【００１６】
即ち、上記の課題は、この構造を用いた防湿層における配線方法であって、防湿層に対し、配線用防湿補助材の凹所に対応する部分において、配線ボックスを設置するための切欠き部を形成すると共に、同補助材の溝部に対応する部分に切込みを形成することによって、防湿層の外面側から、配線用防湿補助材の凹所と溝部とにアクセスして配線ボックスと配線を設置することを特徴とする防湿層における配線方法によっても、配線の施工を容易に行うことができる。
【００１７】
【発明の実施の形態】
次に、本発明の実施形態を図面に基づいて説明する。
【００１８】
図１乃至図４に示す第１実施形態は、建物の屋外側に面する壁内部に配線と配線ボックスを設置する場合についてのもので、図１において、１は外壁パネルフレームであり、このパネルフレーム１の屋内側の面部には図示しない内装ボードを取り付けるための半間仕切り桟２が取り付けられ、パネルフレーム１の内部のみならず、半間仕切り桟２で囲まれた内部にも繊維系などによる断熱材３が入れられ、そして、防湿シートによる防湿層４が、断熱材３を屋外側とし、また、半間仕切り桟２やパネルフレーム１も屋外側とするように備えられている。なお、断熱材３は、繊維系のもの限らず、発泡系のものであってもよい。
【００１９】
即ち、本実施形態は、半間仕切り桟２で囲まれた内部に断熱材が存在し、その屋内側に防湿層４が備えられて、防湿層と内装ボードとの間の配線スペースを確保できない場合を対象としている。そして、この壁構造において、図４に示すように、壁内の下寄りの位置に配線ボックス５を設置し、天井側の配線６を壁内においてこの配線ボックス５まで延ばす施工を行う。これを配線用防湿補助材７を用いて行う。
【００２０】
この配線用防湿補助材７は、図２に示すように、樹脂や金属などのシート状ないしはプレート状の成形品からなっていて、配線ボックスを収容する凹所８と、配線ボックスへの配線を通すためこの凹所８と連通するように延ばされた溝部９とが面内に成形され、凹所８の周囲面１０ａと溝部９の両サイドの面１０ｂ，１０ｂとが連続し、これら周囲面１０ａと両サイドの面１０ｂ，１０ｂの背面側の平坦面１１を防湿層４への貼付け面とし、この貼付け面１１には接着のための粘着層１２が備えられている。
【００２１】
この配線用防湿補助材７を用い、配線の施工を次のようにして行う。即ち、図１及び図３（イ）（ロ）に示すように、防湿層４に、カッター１３で、配線ボックス設置用の切欠き部４ａと、配線ボックスへの配線のための切込み部４ｂを形成する。
【００２２】
しかる後、図１及び図３（ハ）（ニ−１）（ニ−２）に示すように、配線用防湿補助材７を用い、防湿層４の外面側から、その凹所対応部分１４を切欠き部４ａの内方に突出させ、溝部対応部分１５を切込み部４ｂ内に突出させるようにして、配線用防湿補助材７の貼付け面１１を粘着層１２で防湿層４の外面側に貼り付ける。
【００２３】
上記のように、配線用防湿補助材７において、凹所８の周囲面１０ａと溝部９の両サイドの面１０ｂ，１０ｂとは連続するように備えられて、それらの背面側の平坦な面１１を貼付け面としているので、この配線用防湿補助材７を防湿層４に貼り付けるだけで、防湿層４の切欠き部４ａは、配線用防湿補助材７の凹所８の周囲の貼付け面部の貼付けによって防湿性能を回復し、防湿層４の切込み部４ｂは、配線用防湿補助材の溝部９の両サイドの貼付け面部の貼付けによって防湿性能を回復し、防湿層４の切欠き部４ａと切込み部４ｂとの境界部は、配線用防湿補助材７の凹所８の周囲の貼付け面部と溝部９の両サイドの貼付け面部との連続性によって防湿性能を回復する。これにより、上記の切欠き部４ａと切込み部４ｂの形成によって失われた防湿層４の連続性が修復される。
【００２４】
そして、図４に示すように、配線用防湿補助材７の凹所８内に配線ボックス５を設置すると共に、天井からの配線６を同補助材７の溝部９内を通じて配線ボックス５の側に延ばす。以上のようにして、配線の施工を終えることができる。
【００２５】
このように、上記の実施形態では、防湿層４に切欠き部４ａと切込み部４ｂとを形成したのち、配線用防湿補助材７を防湿層４の外面側に貼り付けるだけで、切欠き部４ａと、切込み部４ｂと、これらの境界部とをしっかりとした防湿状態に修復することができ、あとは、配線ボックス５と配線の設置を行うだけでよいから、配線の施工を容易に行うことができる。
【００２６】
図５に示す第２実施形態は、防湿層４の内面側に予め、配線用防湿補助材７を設置しておく場合のものである。本実施形態で使用する配線用防湿補助材７は、図２に示すものと同じ形態のものであるが、ただ、粘着層１２の備えられる貼付け面を、凹所８の周囲の面１０ａと、溝部９の両サイドの面１０ｂ，１０ｂとする点で相違している。即ち、図５（イ）に示すように、この配線用防湿補助材７を半間仕切り桟２に対してタッカ留め１６で取り付けた後、図５（ロ）に示すように、防湿層４を取り付け、それによって、凹所８と溝部９の各開放側を防湿層４の側に向けるように防湿層４の内面側に貼り付ける。防湿層４を備えた壁を工場で製作する場合は、ここまでを予め工場で行っておくとよい。
【００２７】
そして、現場などでの配線の施工は、図５（ハ）に示すように、まず、防湿層４の外面側から、防湿層４に対し、配線用防湿補助材７における溝部９と凹所８に対応する部分に、配線用の切込み部４ｂと配線ボックス用に切欠き部を形成する。しかる後、図５（ニ）に示すように、配線用防湿補助材７の凹所８内に配線ボックス５を設置すると共に、天井からの配線６を同補助材７の溝部９内に設置する。以上のようにして、配線の施工を終えることができる。
【００２８】
従って、本実施形態によれば、配線用防湿補助材７が防湿層４の内面側に予め貼り付けられているので、配線の施工においては、防湿層４の外面側から、防湿層４に対し、配線用防湿補助材７の凹所８に対応する部分に切欠き部４ａを形成すると共に、溝部９に対応する部分に切込み４ｂを入れ、凹所８と溝部９内に配線ボックス５や配線６を設置するだけでよく、防湿層４に切込み部４ｂや切欠き部を形成したのちに防湿層４の修復をする必要をなくすことができ、配線の施工を容易に行うことができる。
【００２９】
以上に、本発明の実施形態を示したが、本発明はこれに限られるものではなく、発明思想を逸脱しない範囲で、各種の変更が可能である。例えば、上記の実施形態では、配線用防湿補助材７に予め粘着層１２を備えさせた場合を示しているが、粘着層１２は、防湿層４への貼付けに際して配線用防湿補助材７に設けるようにしてもよい。また、防湿層４に形成する切欠き部４ａの形状や位置、切込み部４ｂを延ばす方向に特段の制限はなく、各種態様で形成されていてよい。また、配線用防湿補助材の貼付けは、防湿層に切欠き部と切込み部を形成したのち、配線用防湿補助材を防湿層の切欠き部と切込み部を通じて防湿層の内面側に貼り付けるようにしてもよい。
【００３０】
【発明の効果】
本発明は、以上のとおりのものであるから、防湿層において配線と配線ボックスの施工を容易に行うことができ、しかも、防湿層の防湿性能を損なわせることもない。
【図面の簡単な説明】
【図１】第１実施形態を示すもので、防湿層と配線用防湿補助材とを分離状態にして示す斜視図である。
【図２】図（イ）及び図（ロ）は配線用防湿補助材を互いに異なった向きから見た斜視図である。
【図３】図（イ）乃至図（ニ−２）は施工方法を順次に示す平面断面図である。
【図４】図（イ）は配線後の壁の縦断面図、図（ロ）は図（イ）のＩ−Ｉ線断面図、図（ハ）は図（イ）のＩＩ−ＩＩ線断面図である。
【図５】第２実施形態を示すもので、図（イ）乃至図（ニ）は施工方法を順次に示す断面平面図である。
【符号の説明】
４…防湿層
４ａ…切欠き部
４ｂ…切込み部
５…配線ボックス
６…配線
７…配線用防湿補助材
８…凹所
９…溝部
１１…貼付け面
１２…粘着層
１４…凹所対応部分
１５…溝部対応部分
【図１】
0003973950.tif 000002
【図２】
0003973950.tif 000003
【図３】
0003973950.tif 000004
【図４】
0003973950.tif 000005
【図５】
0003973950.tif 000006